【事件の表示】
　特許第２８６８６８２号「光ディスク」の請求項１ないし３に係る特許に対する特許異議の申立てについて、次のとおり決定する。
【結　論】
　訂正を認める。
　特許第２８６８６８２号の請求項１に係る特許を維持する。
【理　由】
I．手続きの経緯
　本件特許第２８６８６８２号の特許は、平成５年３月１６日（優先権主張平成４年５月１６日）に出願され、平成１０年１２月２５日にその特許権の設定登録がなされ、その後特許異議申立人和田　浩司より特許異議の申立てがなされ、取消理由通知がなされ、その指定期間内である平成１２年２月１５日に訂正請求がなされたものである。
II．訂正の適否
（１）訂正の内容
　以下の訂正事項ａ〜ｏについて訂正請求がなされた。
ａ．特許請求の範囲の請求項１に、「第１の面よりも低い位置に形成されるグループと、上記グループ間に形成され、上記第１の面を有するランドとを有し、上記グループおよび上記ランドの両方に情報の記録が可能な光ディスクにおいて、
　アドレス情報を記録する第１のピット列および第２のピット列と,
　上記グループの途切れにより上記第１の面に形成されるミラー部とを有し、
　上記第１のピット列は、上記ミラー部に、上記第１の面に対して凹状に形成され、
　上記第２のピット列は、上記第１のビットダリに対して、半径方向においてトラックピッチ間隔で、かつ、トラック方向にずれた位置に、上記第１の面に対して凹状に形成されていることを特徴とするする光ディスク。」
とあるのを、
「第１の面よりも低い位置に形成されるグループと、上記グループ間に形成され、上記第１の面を有するランドとを有し、上記グループおよび上記ランドの両方に情報の記録が可能な光ディスクにおいて、
　アドレス情報を記録する第１のピット列および第２のピット列と、
　上記グループの途切れにより上記第１の面に形成されるミラー部とを有し、
　上記第１のピット列は、上記ミラー部に、上記第１の面に対して凹状に形成され、
　上記第２のピット列は、上記第１のピット列に対して、半径方向においてトラックピッチ間隔で、かつ、トラック方向にずれた位置に、上記第１の面に対して凹状に形成されており、　第１のピット列及び第２のピット列を構成する各ピットの径は、それぞれ上記グループ及び上記ランドの幅よりも狭いことを特徴とする光ディスク。」
に訂正する。
また、請求項２、請求項３を削除する。
ｂ．明細書の【０００９】段落の、「形成されていることを特徴としている。」とあるのを、
「形成されており、第１のピット列及び第２のピット列を構成する各ピットの径は、それぞれ上記グループ及び上記ランドの幅よりも狭いことを特徴としている。」に訂正する。
ｃ．明細書の【００１０】段落を削除する。
ｄ．明細書の【００１１】段落を削除する。
ｅ．上記特許請求の範囲の訂正に伴って、明細書の【００１２ 】段落に、
「凹状に形成されているので、」とあるのを、
「凹状に形成されており、第１のピット列及び第２のピット列を構成する各ピットの径は、それぞれ上記グループ及び上記ランドの幅よりも狭いので、」に訂正する。
ｆ．明細書の【００３０】段落に、「本発明の第３実施例」とあるのを、「本発明の参考例」に訂正する。
ｇ．明細書の【００３１】段落に、「本実施例」
とあるのを、「本参考例」に訂正する。
ｈ．明細書の【００３５】段落に、「第１〜第３実施例」とあるのを、「第１、第２実施例、参考例」に訂正する。
ｉ．明細書の【００４０】段落を削除する。
ｊ．明細書の【００４１】段落を削除する。
ｋ．明細書の【００４２】段落に、「第１〜第３実施例」とあるのを、「第１、第２実施例、参考例」に訂正する。
１．明細書の【００７０】段落に、「第３実施例」とあるのを、「参考例」に訂正する。
ｍ．明細書の【００７３】段落を削除する。
ｎ．明細書の【００７５】段落に、「凹状に形成されている構成である。」とあるのを、
「凹状に形成されており、第１のピット列及び第２のピット列を構成する各ピットの径は、それぞれグループ及びランドの幅よりも狭い構成である。」に訂正する。
ｏ．明細書の【図面の簡単な説明】における【図３】に、「本発明の第３の実施例の光磁気ディスクの概略の構成を示す説明図である。」とあるのを、「本発明の参考例の光磁気ディスクの概略の構成を示す説明図である。」に訂正する。
（２）訂正の目的の適否、新規事項の有無及び拡張・変更の存否
ｉ.訂正事項ａにおいて特許請求の範囲に「第１のピット列及び第２のピット列を構成する各ピットの径は、それぞれ上記グループ及び上記ランドの幅よりも狭い」なる構成を付加する訂正は、明細書の図１、図２、【００４２】〜【００７０】段落のマスタリングプロセスの説明及び図６などの記載に基づいており、願書に添付した明細書又は図面に記載した事項の範囲内のものであり、また、特許請求の範囲の減縮に該当し、実質上特許請求の範囲を拡張し又は変更するものではない。
　また、請求項２，３を削除する訂正は、特許請求の範囲の減縮に該当し、実質上特許請求の範囲を拡張し又は変更するものではない。
ｂ．明細書の【０００９】段落の訂正は、上記の特許請求の範囲の訂正に伴う、説明の整合のためのものであるから明りょうでない記載の釈明に該当する。
ｃ．明細書の【００１０】段落の訂正（削除）は、請求項２の削除に伴う、説明の整合のためのものであるから明りょうでない記載の釈明に該当する。
ｄ．明細書の【００１１】段落の訂正（削除）は、請求項３の削除に伴う、説明の整合のためのものであるから明りょうでない記載の釈明に該当する。
ｅ．明細書の【００１２】段落の訂正は、上記の特許請求の範囲の訂正に伴う、説明の整合のためのものであるから明りょうでない記載の釈明に該当する。
ｆ．明細書【００３０】、【００３１】、【００３５】段落の訂正は、請求項３の削除に伴って、第３実施例を参考例に訂正するものであり、特許請求の範囲の減縮に該当し、実質上特許請求の範囲を拡張し又は変更するものではない。
ｇ．明細書の【００４０】、【００４１】段落の訂正（削除）は、請求項３の削除に伴う、説明の整合のためのものである。
ｈ．明細書【００４２】段落の訂正は、請求項３の削除に伴って、第３実施例を参考例に訂正するものであり、特許請求の範囲の減縮に該当し、実質上特許請求の範囲を拡張し又は変更するものではない。
ｉ．明細書【００７０】段落の訂正は、請求項３の削除に伴って、第３実施例を参考例に訂正するものであり、特許請求の範囲の減縮に該当し、実質上特許請求の範囲を拡張し又は変更するものではない。
ｊ．明細書【００７３】段落の訂正（削除）は、請求項３の削除に伴う、説明の整合のためのものである。
ｋ．明細書の【００７５】段落の訂正は、上記の特許請求の範囲の訂正に伴う、説明の整合のためのものであり、明りょうでない記載の釈明に該当する。
ｏ．明細書【図面の簡単な説明】の【図３】の訂正は、請求項３の削除に伴って、第３実施例を参考例に訂正するものであり、特許請求の範囲の減縮に該当し、実質上特許請求の範囲を拡張し又は変更するものではない。
（３）独立特許要件
（３）−１．訂正明細書の請求項１に係る発明
　上記訂正事項ａ（特許請求の範囲の訂正）により請求項が一つになった結果、訂正明細書の請求項１に係る発明（以後、「請求項１に係る発明」と称す）は、訂正明細書の特許請求の範囲の請求項１に記載の事項によって特定される次のとおりのものと認められる。
「第１の面よりも低い位置に形成されるグループと、上記グループ間に形成され、上記第１の面を有するランドとを有し、上記グループおよび上記ランドの両方に情報の記録が可能な光ディスクにおいて、
　アドレス情報を記録する第１のピット列および第２のピット列と、
　上記グループの途切れにより上記第１の面に形成されるミラー部とを有し、
　上記第１のビット列は、上記ミラー部に、上記第１の面に対して凹状に形成され、
　上記第２のピット列は、上記第１のピット列に対して、半径方向においてトラックピッチ間隔で、かつ、トラック方向にずれた位置に、上記第１の面に対して凹状に形成されており、
　第１のピット列及び第２のピット列を構成する各ピットの径は、それぞれ上記グループ及び上記ランドの幅よりも狭いことを特徴とする光ディスク。 」
（３）−２．刊行物に記載の発明
　当審で通知した取消理由において引用した特開平１−３０７０２０号公報（以後、「刊行物１」と称す。）には、
「ガイドトラックの凹凸部、両方で情報の記録・再生を行う場合、クロストークのない番地信号の
再生を行える様な、該番地信号の記録方式及び再生方式を提供する」（第２頁左上欄第１４〜１８行参照）、
「第３図は、記録・再生可能な光デイスクの一例・・・ガイドトラック固有のアドレス信号を記録したアドレス信号領域３，・・・回転開始マーク４が、それぞれ凹凸形状で形成されている。・・・アドレス信号は、情報トラック７に凹凸形状で形成されている。情報信号は・・・光スポット１１によりピット信号９として記録される」（第２頁右上欄第１５行〜同左下欄第１４行参照）、
「次に、本実施例の特徴について説明する。第１図は、・・・アドレス領域３の対角線上に位置される白ヌキの領域２９は、もう一つの別のアドレス領域を示したもの・・・新たに設けたアドレス領域２９は、前記情報トラック７に凹凸形状で形成されたアドレス領域３とは異なり、前記虎キング制御用トラック８に凹凸形状で形成されたものである。」（第３頁右上欄第１〜１０行参照）、
「又、特に情報トラック７のアドレス領域と、トラッキング制御用トラック８のアドレス領域をそれぞれ対角線上に配置する必要はなく、例えば、第６図のデイスク１の外観図に示した様に、アドレス領域を円周方向に隣接する様な配置にしてもよい。第７図は、情報トラック７のアドレス領域３と、トラッキング制御用トラック８のアドレス領域３０が隣接する部分を拡大した図である。・・・上記実施例では、デイスク半径方向に凹部のアドレス信号のみ、あるいは凸部のアドレス信号のみを配列した構造になっているが、特にそれに限るわけではなく、凹部と凸部のアドレス信号が隣接しなければ、凹部のアドレス信号と凸部のアドレス信号を交互に配列してもよい。」（第３頁左下欄第１２行〜同右上欄第９行参照）、
「本発明により、ガイドトラック凹部、及び凸部の両方にアドレス信号を記録し、かつ両方のアドレス信号がお互いに隣接しない様に配置されるため、凹部、及び凸部の両方に情報を記録、再生する場合、クロストークのない安定したアドレス信号を再生することが可能であり、アクセス時あるいはトラッキングがはずれた場合に、正確に所定のトラックを探し出すことができる。」（第３頁右下欄第１４行〜第４頁右上欄第１行参照）の記載があり、第７図に２つのアドレス領域３、３０が半径方向にずれた位置に配置されたデイスクが記載されている。
  第７図の情報トラック７は凹部で構成されており、本件請求項１に係る発明の「グルーブ」に、トラッキング制御用トラック８は凸部で構成されており、本件請求項１に係る発明の「ランド」に、凸部の頂面が「第１の面」に、情報トラック７の凹部が途切れた部分に凹凸形状で形成されたアドレス信号が「アドレス情報を記録する第１のピット列」に、トラッキング制御トラック８に凹凸形状で形成されたアドレス信号が「アドレス情報を記録する第２のピット列」に夫々対応付けることが可能であることから、刊行物１には、本件請求項１に係る発明の用語を用いて表現するならば、
「第１の面よりも低い位置に形成されるグループと、上記グループ間に形成され、上記第１の面を有するランドとを有し、上記グループおよび上記ランドの両方に情報の記録が可能な光ディスクにおいて、
　アドレス情報を記録する第１のピット列および第２のピット列とを有し、
上記第１のピット列は、上記第１の面に対して凹凸状に形成され、
　上記第２のピット列は、上記第１のピット列に対して、半径方向においてトラックピッチ間隔で、かつ、トラック方向にずれた位置に、上記第１の面に対して凹凸状に形成されていることを特徴とする光ディスク。」に係る発明が記載されていると、一応認めることができる。これを、以後、「刊行物１に係る発明」と称すことにする。
（３）−３．対比・判断
  本件請求項１に係る発明を上記刊行物１に係る発明と対比させると、両者は高密度記録用のランド・グルーブ記録方式の光デイスクに関し、トラックピッチの減少に伴うクロストーク、アドレス情報の識別性の改善を目的とする点で共通しており、その構成において、以下の２点で相違する以外は一致する。
・相違点１
　請求項１に係る発明では、グルーブの途切れた部分にミラー部が形成され、該ミラー部に第１のピット列が凹状にに形成されるのに対し、刊行物１に係る発明ではグルーブの途切れ部に第１のピット列が凹凸状に形成されているが、ミラー部が形成されているかどうかは明確ではない。
・相違点２
　請求項１に係る発明では、第１，２のビット列がともに第１の面に対して凹状に形成され、第１のピット列及び第２のピット列を構成する各ピット列の径が、それぞれ上記グルーブ及びランドの幅より狭くなっているのに対し、刊行物１に係る発明では、ピット列は凹凸状に形成され、その幅はグルーブ及びランドと同じ幅である。
　そこでこれらの相違点について、さらに詳細に検討を加えてみるに、当審で取消理由において刊行物１と同時に引用した特開昭６１−８５６５３号公報（以後、「刊行物２」と称す）、特開昭６４−７９９５３号公報（以後、「刊行物３」と称す）、特開昭６３−５０９５３号公報（以後、「刊行物４」と称す）には、グルーブ記録方式もしくはランド記録方式のものにおいて、情報トラックの途切れた部分に情報の記録が不能なランドと同じ平面をなす平坦部が設けられ（特に刊行物３のものでは平坦部は鏡面部となっている）、その平坦部に番地情報、ヘッダー情報等のピット列からなるプリフォーマット情報が形成されているものが記載されており、それぞれプリフォーマット情報の各ピットの径はグルーブの幅（刊行物２）、ランドの幅（刊行物３，４）より狭くなっているが、いずれのものも、記録の高密度化が可能なランド・グルーブ記録方式のものにミラー部に相当する平坦部を設けるものではない。また、同時に引用した特開平２−１７７０２７号公報（以後、「刊行物５」と称す）には、ランド・グルーブ記録方式のものにおいて、記録ビット径がグルーブ及びランドの幅より狭い例が記載されているが、ミラー部、プリフォーマット情報に関する記載はないことから、これらの刊行物には上記相違点を解消するに足りる技術的事項の開示は認められない。 そして、ランド・グルーブ記録方式において、グルーブの途切れた部分にミラー部を形成し、そのミラー部にグルーブ及びランドの幅よりも径が小さい凹状の第１ピット列を、該第１ピット列に対して、半径方向においてトラックピッチ間隔で、かつトラック方向にずれた位置に、同様な径で凹状の第２ピット列を形成すれば、読出し原理上、トラックピッチを狭くしたものでも、グルーブ内、ランド上のいずれの記録ピットの読出しにも引き続いて、プリフォーマット情報を安定に、かつ隣接トラックからのクロストーク無く読み出すことが可能であるが、このような構成及び当該構成がもたらす機能、効果はいずれの刊行物の記載からも窺われない。また、プリフォーマット情報のピット径をグルーブ、ランドの幅より狭くすれば、磁気的超解像効果と組み合わせることによって、より大きな記録密度を期待することもできる。
　なお、上記当審が通知した取消理由通知において、上記の刊行物と同時に引用された特開平５−２８５０６号公報、特開平４−２３２３９号公報、特開平２−１６１６３２号公報、特開６３−２５５８４６号公報にも、本件請求項１に係る発明を想到させる記載はない。
　以上から、本件請求項１に係る発明は上記相違点１，２に示すような、引用された各刊行物にはない構成を備え、もって上記の如き顕著な効果を奏すものであるから、本件請求項１に係る発明が上記刊行物に記載の発明に基づいて当業者が容易に発明をすることができたものとは言えない。
　したがって、本件請求項１に係る発明は、特許出願の際独立して特許を受けることができるものである。
（４）結び
　以上のとおりであるから、上記訂正事項ａ〜ｏ
に示される訂正は、いずれも特許請求の範囲の減縮もしくは明りょうでない記載の釈明に該当し、
かつ新規事項を追加するものでも、実質上特許請求の範囲を拡張し又は変更するものでもないことから、特許法第１２０条の４第２項ただし書き第１号及び第３号、同条第３項で準用する同法第１２６条第２乃至４項の規定に適合するので、当該訂正を認める。
III．特許異議の申立てについて
（１）申立ての理由の概要
　特許異議申立人和田　浩司は、証拠として甲第１号証（特開平１−３０７０２０号公報：（３）−２の刊行物１）、甲第２号証（特開平２−１７７０２７号公報：（３）−２の刊行物５）、甲第３号証（特開昭５９−１５４６５８号公報）、甲第４号証（特開平６３−２５５８４６号公報）を提出して、本件の訂正前の請求項１〜３に係る発明はこれらの甲各号証に記載の発明に基づいて当業者が容易に発明をすることができたものであり、特許法第２９条第２項の規定により特許を受けることができないものであるから、当該訂正前の請求項１〜３に係る発明に対する特許は取り消すべきものである旨の主張を行っている。
（２）判断
　しかるに、II．において訂正請求に基づく特許請求の範囲の訂正が行われた結果、特許請求の範囲は請求項１のみになり、上記請求項１に係る発明については、上記II．（２）−２，３の結果のとおり、甲１，２号証及びII．（２）−２，３で示した各刊行物に記載の発明にに基づいて当業者が容易に発明をすることができたとは言えない。
なお、甲３，４号証は訂正前の請求項２，３に関するもので、請求項１に係る発明には直接の関係はないことから、当該発明の新規性、進歩性の判断には影響しない。
　従って、本件請求項１に係る発明に対する特許は上記異議申立ての理由及び証拠によっては取り消すことはできない。
IV．結び
　以上のとおりであるから、本件請求項１に係る発明に対する特許は、取消理由で引用した各刊行物及び特許異議申立人より異議の証拠として提出された各刊行物に記載の発明に基づいて当業者が容易に発明をすることができたとして、特許法第２９条第２項の規定により取り消すことはできない。
　また、当審が取消理由の一つとして指摘した記載不備も上記訂正にともなって解消しており、他に本件請求項１に係る発明に対する特許を取消すべき理由は発見しない。
　よって、結論のとおり決定する。
【異議決定日】
平成１２年３月２日（２０００．３．２）
【訂正の要旨】
訂正の要旨
　以下の訂正事項ａ〜ｏについて訂正する。
ａ．特許請求の範囲の請求項１に、
　「第１の面よりも低い位置に形成されるグループと、上記グループ間に形成され、上記第１の面を有するランドとを有し、上記グループおよび上記ランドの両方に情報の記録が可能な光ディスクにおいて、
　アドレス情報を記録する第１のピット列および第２のピット列と，
　上記グループの途切れにより上記第１の面に形成されるミラー部とを有し、
　上記第１のピット列は、上記ミラー部に、上記第１の面に対して凹状に形成され、
　上記第２のピット列は、上記第１のビットダリに対して、半径方向においてトラックピッチ間隔で、かつ、トラック方向にずれた位置に、上記第１の面に対して凹状に形成されていることを特徴とするする光ディスク。」
とあるのを、
「第１の面よりも低い位置に形成されるグループと、上記グループ間に形成され、上記第１の面を有するランドとを有し、上記グループおよび上記ランドの両方に情報の記録が可能な光ディスクにおいて、
　アドレス情報を記録する第１のピット列および第２のピット列と、
　上記グループの途切れにより上記第１の面に形成されるミラー部とを有し、
　上記第１のピット列は、上記ミラー部に、上記第１の面に対して凹状に形成され、
　上記第２のピット列は、上記第１のピット列に対して、半径方向においてトラックピッチ間隔で、かつ、トラック方向にずれた位置に、上記第１の面に対して凹状に形成されており、　第１のピット列及び第２のピット列を構成する各ピットの径は、それぞれ上記グループ及び上記ランドの幅よりも狭いことを特徴とする光ディスク。」
に訂正する。
また、請求項２、請求項３を削除する。
ｂ．明細書の【０００９】段落の、「形成されていることを特徴としている。」
とあるのを、
「形成されており、第１のピット列及び第２のピット列を構成する各ピットの径は、それぞれ上記グループ及び上記ランドの幅よりも狭いことを特徴としている。」に訂正する。
ｃ．明細書の【００１０】段落を削除する。
ｄ．明細書の【００１１】段落を削除する。
ｅ．上記特許請求の範囲の訂正に伴って、明細書の【００１２】段落に、
「凹状に形成されているので、」とあるのを、
「凹状に形成されており、第１のピット列及び第２のピット列を構成する各ピットの径は、それぞれ上記グループ及び上記ランドの幅よりも狭いので、」に訂正する。
ｆ．明細書の【００３０】段落に、「本発明の第３実施例」とあるのを、「本発明の参考例」に訂正する。
ｇ．明細書の【００３１】段落に、「本実施例」
とあるのを、「本参考例」に訂正する。
ｈ．明細書の【００３５】段落に、「第１〜第３実施例」とあるのを、「第１、第２実施例、参考例」に訂正する。
ｉ．明細書の【００４０】段落を削除する。
ｊ．明細書の【００４１】段落を削除する。
ｋ．明細書の【００４２】段落に、「第１〜第３実施例」とあるのを、「第１、第２実施例、参考例」に訂正する。
１．明細書の【００７０】段落に、「第３実施例」とあるのを、「参考例」に訂正する。
ｍ．明細書の【００７３】段落を削除する。
ｎ．明細書の【００７５】段落に、「凹状に形成されている構成である。」とあるのを、
「凹状に形成されており、第１のピット列及び第２のピット列を構成する各ピットの径は、それぞれグループ及びランドの幅よりも狭い構成である。」に訂正する。
ｏ．明細書の【図面の簡単な説明】における【図３】に、「本発明の第３の実施例の光磁気ディスクの概略の構成を示す説明図である。」とあるのを、「本発明の参考例の光磁気ディスクの概略の構成を示す説明図である。」に訂正する。
（５４）【発明の名称】
光ディスク
（５７）【特許請求の範囲】
　　【請求項１】
　第１の面よりも低い位置に形成されるグルーブと、上記グルーブ間に形成され、上記第１の面を有するランドとを有し、上記グルーブおよび上記ランドの両方に情報の記録が可能な光ディスクにおいて、
　アドレス情報を記録する第１のピット列および第２のピット列と、
　上記グルーブの途切れにより上記第１の面に形成されるミラー部とを有し、
　上記第１のピット列は、上記ミラー部に、上記第１の面に対して凹状に形成され、
　上記第２のピット列は、上記第１のピット列に対して、半径方向においてトラックピッチ間隔で、かつ、トラック方向にずれた位置に、上記第１の面に対して凹状に
形成されており、
　
第１のピット列及び第２のピット列を構成する各ピットの径は、それぞれ上記グルーブ及び上記ランドの幅よりも狭いことを特徴とする光ディスク
【発明の詳細な説明】
　　　【０００１】
　　【産業上の利用分野】
　本発明は、凹凸のピット列により予めアドレス情報を記録された光磁気ディスク等の光ディスクに関するものである。
　　　【０００２】
　　【従来の技術】
　従来、光を用いて情報を記録再生する光メモリーの内、記録媒体として、垂直磁化膜からなる記録膜を用い、レーザー光を照射しながら磁場を印加して、光スポット内の磁化を上向き、または、下向きにすることにより、情報を記録する光磁気ディスクが実用化されている。
　　　【０００３】
　光磁気ディスクには、図８に示すように、グルーブ５１…が設けられており、光スポット５５をグルーブ５１・５１間のランド５２に正確に追従させることができるようになっている。ランド５２上には、アドレス情報がピット５３…によって記録されており、光スポット５５が走査しているトラックのアドレス情報を求めることができるようになっている。
　　　【０００４】
　情報の記録再生は、ランド５２…に一致するトラックに対して行われる。トラックピッチは光スポット５５の直径程度に設定されており、光スポット５５の直径は、レーザー光の波長と、レーザー光を光スポット５５に収斂する対物レンズの開口数とによって決まっている。レーザー光の波長は、通常、７８０〜８３０ｎｍであり、対物レンズの開口数は０．４５〜０．６である。したがって、光スポット５５の直径は１．２〜１．４μｍとなり、トラックピッチは１．４〜１．６μｍに設定されている。このため、磁化が上向き、または、下向きの記録ドメイン５４…の大きさは、最小０．８μｍ程度となる。
　　　【０００５】
　また、図９に示すように、フラットなミラー部６２…を有する光磁気ディスクも知られている。ミラー部６２…には、グルーブ６１…は形成されず、ピット６３…が形成されている。光スポット５５はグルーブ６１上をトラッキングするようになっており、光スポット５５が走査しているトラックのアドレス情報はピット６３…から再生される。この光磁気ディスクにおいても、グルーブ６１上の記録ドメイン６４…の大きさは、最小０．８μｍ程度となる。
　　　【０００６】
　近年、光磁気ディスクの記録膜を多層構造にすることにより、記録膜に磁気超解像（Ｍａｇｎｅｔｉｃ　Ｓｕｐｅｒ　Ｒｅｓｏｌｕｔｉｏｎ）の効果を持たせ、これにより、光スポット５５のサイズよりもはるかに小さい記録ドメインを形成して、記録密度を向上させる方策が採られている。この磁気超解像を用いれば、上記のほぼ１／２の大きさの記録ドメインを安定して形成することが可能であり、したがって、トラックピッチを上記のほぼ１／２の０．８μｍ程度にすることが可能であるので、記録密度を飛躍的に向上させることができる。この磁気超解像に関しては、例えば、日本応用磁気学会誌、Ｖｏ１．１５，Ｎｏ．５，１９９１　ｐｐ．８３８−８４５が詳しい。
　　　【０００７】
　　【発明が解決しようとする課題】
　しかしながら、上記従来の構成では、トラックピッチを１／２にすると、ピット５３…の大きさも１／２になる。このため、ピット５３…からの信号が弱くなるという問題点を有している。
　　　【０００８】
　また、隣合うトラックのピット５３…とピット５３…の距離も１／２になるので、クロストークが起きやすく、正確なアドレス情報を求められないという問題点を有している。
　　　【０００９】
　　【課題を解決するための手段】
　請求項１の発明に係る光ディスクは、上記の課題を解決するために、第１の面よりも低い位置に形成されるグルーブと、上記グルーブ間に形成され、上記第１の面を有するランドとを有し、上記グルーブおよび上記ランドの両方に情報の記録が可能な光ディスクにおいて、アドレス情報を記録する第１のピット列および第２のピット列と、上記グルーブの途切れにより上記第１の面に形成されるミラー部とを有し、上記第１のピット列は、上記ミラー部に、上記第１の面に対して凹状に形成され、上記第２のピット列は、上記第１のピット列に対して、半径方向においてトラックピッチ間隔で、かつ、トラック方向にずれた位置に、上記第１の面に対して凹状に
形成されており、第１のピット列及び第２のピット列を構成する各ピットの径は、それぞれ上記グルーブ及び上記ランドの幅よりも狭いことを特徴としている。
　　　【００１０】
　　　【００１１】
　　　【００１２】
　　【作用】
　本発明の構成によれば、第１のピット列は、ミラー部における第１の面に対して凹状に形成され、第２のピット列は、半径方向において、上記第１のピット列に対してトラックピッチ間隔で、かつ、トラック方向にずれた位置に、上記第１のピット列の形成面と同じ上記第１の面に対して凹状に
形成されており、第１のピット列及ぴ第２のピット列を構成する各ビットの径は、それぞれ上記グルーブ及び上記ランドの幅よりも狭いので、
　　　【００１３】
　　【実施例】
　本発明の第１実施例について図１に基づいて説明すれば、以下のとおりである。
　　　【００１４】
　本実施例の光磁気ディスクには、図１に示すように、螺旋状または同心円状のグルーブ１…が設けられている。グルーブ１…は一周する毎に途切れており、この途切れた部分がフラットなミラー部３…になっている。グルーブ１の幅およびグルーブ１・１間のランド２の幅は、互いに等しく、かつ、トラックピッチに等しくなるように設定されている。
　　　【００１５】
　各ミラー部３には、アドレス情報を記録したピット４ａ…（第１のピット列）が形成されており、各ランド２のミラー部３に近い部分には、アドレス情報を記録したピット４ｂ…（第２のピット列）が形成されている。したがって、ピット４ａ…と４ｂ…は、互いに異なる半径方向に配置される。
　　　【００１６】
　上記の構成において、情報の記録は、グルーブ１…上のトラックおよびランド２…上のトラックに対して行われる。光スポット６をグルーブ１上のトラックを追従させるか、ランド２上のトラックを追従させるかは、トラッキング信号の極性を反転することによって容易に選択できる。トラッキング信号は例えばプッシュプル法によって得られる。
　　　【００１７】
　光スポット６がグルーブ１…上のトラックを走査しているとき、アドレス情報はピット４ａ…から得られる。一方、光スポット６がランド２…上のトラックを走査しているとき、アドレス情報はピット４ｂ…から得られる。
　　　【００１８】
　以上のように、本実施例の光磁気ディスクでは、ピット４ａ…と４ｂ…を、互いに隣合わないように、異なる半径方向に配置したので、光スポット６がピット４ａ…と４ｂ…に同時に照射されることがなくなる。このため、クロストークが起こりにくくなり、正確なアドレス情報が求められる。
　　　【００１９】
　磁気超解像効果を用いて情報を記録する場合、記録ドメイン５の直径を０．４μｍ程度にできる。このため、トラックの幅を０．８μｍにすると（すなわち、グルーブ１の幅およびランド２の幅を共に０．８μｍに設定すると）、容易に記録再生を行うことができる。また、トラックピッチを従来の１．６μｍから半分の０．８μｍにできるので、記録密度を大幅に向上させることができる。しかも、正確なアドレス情報を得ることができる。
　　　【００２０】
　また、記録再生に用いるレーザー光の波長を短くすると、トラックピッチをさらに小さくできる。例えば、レーザー光の波長を８３０ｎｍから４５８ｎｍにすると、トラックピッチを（４５８／８３０）倍にできる。すなわち、記録密度をほぼ倍にできる。
　　　【００２１】
　以上の実施例において、光磁気ディスクを複数のセクターに分け、トラックとセクターとによって光磁気ディスクの記憶領域を管理する場合、グルーブ１が一周する毎にセクター数と同数のミラー部３…を設け、ミラー部３…毎にピット４ａ…と４ｂ…を形成すればよい。
　　　【００２２】
　また、複数のトラックを単位として、光磁気ディスクの記憶領域を管理する場合、グルーブ１がｎ周（ｎ＞１）する毎に１つのミラー部３を設け、ミラー部３…毎にピット４ａ…と４ｂ…を形成すればよい。
　　　【００２３】
　さらにまた、光磁気ディスクを複数のリング状のゾーンに分け、ゾーン毎に１トラック当たりのセクター数を変えるようにしてもよい。
　　　【００２４】
　ピット４ａ…は、同一半径方向に配置されていても良いし、異なる半径方向に配置されていても良い。ピット４ｂについても同様である。
　　　【００２５】
　なお、ピット４ａ…の内側（光磁気ディスクの中心側）、または外側（光磁気ディスクの外縁側）に隣接して、ピット４ｂ…またはグルーブ１を配置することは、正確なアドレス情報およびトラッキング信号を得る上で好ましくない。
　　　【００２６】
　すなわち、このような配置にすると、第１に、アドレス信号にクロストークが生じる。第２に、光スポット６がランド２上のトラックを走査しているとき、ピット４ｂ…が現れると、トラッキング信号の極性が反転する。このため、トラッキングが不安定になる。
　　　【００２７】
　本発明の第２実施例について図２に基づいて説明すれば、以下のとおりである。なお、説明の便宜上、前記の実施例の図面に示した部材と同一の機能を有する部材には、同一の符号を付記し、その説明を省略する。
　　　【００２８】
　本実施例の光磁気ディスクは、各ランド２のミラー部３から離れた部分に、アドレス情報を記録したピット４ｂ…が形成されている点で、前記実施例と異なっている。
　　　【００２９】
　これにより、ピット４ａ…、４ｂ…間のクロストークがさらに起こりにくくなるので、より正確なアドレス情報が求められる。
　　　【００３０】
　
本発明の参考例
　　　【００３１】
　
本参考例
　　　【００３２】
　グルーブ１の幅、ランド２の幅がそれぞれ０．８μｍに設定されている場合、グルーブ部１ａの幅は０．４〜０．５μｍに設定される。
　　　【００３３】
　これにより、前記実施例と比較して、光スポット６がランド２上のピット４ｂ…が形成されている部分に照射されているときの反射光量と、ピット４ｂ…が形成されていない部分に照射されているときの反射光量との差が大きくなるので、ピット４ｂ…からより正確なアドレス情報が求められる。
　　　【００３４】
　なお、ピット４ｂ…からの信号品質を優先させるにはグルーブ部１ａの幅は狭い方が良く（例えば、０．３〜０．４μｍ）、グルーブ１上に記録する記録ドメインからの光磁気信号の信号品質を優先させるにはグルーブ部１ａの幅は広い方が良い（例えば０．４〜０．６μｍ）。したがって、上記のように、グルーブ部１ａの幅を０．４〜０．５μｍに設定すると、両方の信号品質を満足させることが可能となる。
　　　【００３５】
　以上の
第１、第２実施例、参考例
　　　【００３６】
　ところで、強いトラッククロス信号を得るために、グルーブ１の幅とランド２の幅をある程度相違させてもよい。ここで、トラッククロス信号とは、光スポット６がトラックを横切るときの反射光量の変化を示す信号である。このトラッククロス信号と、光スポット６の中心とトラックの中央とのずれを示すトラック誤差信号との位相差から、光スポット６の移動方向を検出し、目的のトラックにアクセスすることができる。
　　　【００３７】
　しかしながら、グルーブ１の幅とランド２の幅をあまり相違させると、強いトラッククロス信号が得られるが、再生信号品質が低下する。
　　　【００３８】
　例えば、グルーブ１の幅とランド２の幅の和が１．６μｍ（つまり、トラックピッチが０．８μｍ）、レーザー光の波長が７８０ｎｍ、対物レンズのＮＡが０．５５の場合、グルーブ１の幅またはランド２の幅が０．４μｍを下回ると、グルーブ１上のトラックからの反射率とランド２上のトラックからの反射率との差が増大する。すなわち、幅の狭いトラックからの反射光量が著しく低下する。
　　　【００３９】
　一方、グルーブ１の幅またはランド２の幅が０．７〜０．８μｍであると、強いトラッククロス信号が得られない。したがって、適度な再生信号および適度なトラッククロス信号を得るためには、グルーブ１の幅またはランド２の幅を０．４〜０．７μｍに設定することが好ましい。
　　　【００４０】
　　　【００４１】
　　　【００４２】
　上記の
第１、第２実施例、参考例
　　　【００４３】
　まず、石英ガラスの基板７の片面にフォトレジスト８を塗布する（同図（ａ））。
それから、レーザー光をフォトレジスト８上に収斂し、フォトレジスト８を所望のグルーブ１…およびピット４ａ…、４ｂ…のパターンに感光させる。これを現像して、不要なフォトレジスト８を除去すると、所望のパターンを有するフォトレジスト８ａ…が基板７上に残る（同図（ｂ））。
　　　【００４４】
　次に、フォトレジスト８ａ…をマスクとして、基板７をドライエッチングする（同図（ｃ））。エッチングガスには、例えばＣＦ４が使用される。エッチング後、フォトレジスト８ａ…を除去し（同図（ｄ））、Ｎｉからなる金属層９を電鋳で形成する（同図（ｅ））。これを剥離すると、金属層９からなるスタンパーが得られる（同図（ｆ））。
　　　【００４５】
　このスタンパーを用いてポリカーボネート等のプラスチックを成形することにより、所望のグルーブ１…およびピット４ａ…、４ｂ…を有する光磁気ディスク用の基板が製造される。この基板上に記録媒体を形成すると、上記の光磁気ディスクが得られる。
　　　【００４６】
　上記のフォトレジスト８をグルーブ１およびピット４ａ…、４ｂ…のパターンに感光させる工程で使用される記録装置の一例を図５に示す。
　　　【００４７】
　記録装置は、フォトレジスト８を感光させるためのレーザー光源１１ａと、対物レンズ１０のフォーカシング用のレーザー光源１１ｂを備えている。レーザー光源１１ａには、例えばアルゴンレーザーが使用され、レーザー光源１１ｂには、例えばＨｅ−Ｎｅレーザーが使用される。
　　　【００４８】
　レーザー光源１１ａからのレーザー光は、ノイズ抑制装置１２ａによって光ノイズを低減させられた後、ミラー１９・２０で反射され、ビームスプリッター２１に入射する。レーザー光はビームスプリッター２１によって二分割され、一方は光変調器１８ａに入射し、他方はミラー２４ｂで反射されて光変調器１８ｂに入射する。光変調器１８ａ・１８ｂとしては、例えば音響光学素子を用いることができる。その場合、光変調器１８ａ・１８ｂの前後にそれぞれ収束用の凸レンズ２２・２２を配置する必要がある。
　　　【００４９】
　光変調器１８ａを通った光ビームは光偏向器２３ａに入射した後、ミラー２４ａで直角方向に反射される。一方、光変調器１８ｂを通った光ビームは光偏向器２３ｂに入射した後、（１／２）波長板２５に入射し、偏光面が９０度回転される。光偏向器２３ａ・２３ｂとしては、例えば、電気光学効果、あるいは、音響光学効果を用いて進行方向を変えることのできる素子を用いることができる。
　　　【００５０】
　これらの光ビームは、偏光プリズム２６で再び合成された後、ビームエキスパンダー２７によって適当な光ビーム径に拡大され、二色ミラー１５で反射されて対物レンズ１０に入射する。そして、対物レンズ１０によって基板７上のフォトレジスト８に光スポット３１ａ・３１ｂ（後述する）として収斂される。
　　　【００５１】
　上記の光変調器１８ａ・１８ｂは、それぞれ、ドライバー２８ａ・２８ｂによって制御される。また、光偏向器２３ａ・２３ｂはドライバー２９ａ・２９ｂによって制御される。
　　　【００５２】
　一方、レーザー光源１１ｂからのレーザー光は、ノイズ抑制装置１２ｂによって光ノイズを低減させられた後、偏光ビームスプリッター１３、（１／４）波長板１４、二色ミラー１５を通り、対物レンズ１０によって基板７上のフォトレジスト８に収斂される。
　　　【００５３】
　その反射光は、対物レンズ１０によって集光され、二色ミラー１５、（１／４）波長板１４、偏光ビームスプリッター１３を通り、対物レンズ１６およびシリンドリカルレンズ１７によって四分割の光検出器１８上に収斂される。光検出器１８からの信号に基づいて、フォーカスサーボ信号が生成され、フォーカスサーボ系（図示されていない）が対物レンズ１０をフォーカス方向に駆動する。これにより、スピンドルモーター３０で回転している基板７上のフォトレジスト８に対物レンズ１０の焦点が常に合わされる。
　　　【００５４】
　上記の記録装置によるフォトレジスト８の感光方法を図６に基づいて説明すれば、以下のとおりである。
　　　【００５５】
　まず、光スポット３１ａ・３１ｂを、同図（ａ）に示すように、半径方向にトラックピッチに等しい距離だけ離間させて配置するために、ドライバー２９ａ・２９ｂから光偏向器２３ａ・２３ｂに印加される直流電圧と、ミラー２４ａ・２４ｂのセッティング角度が調整される。
　　　【００５６】
　それから、光スポット３１ａによって、同図（ａ）の右の方向に、グルーブ１、ピット４ａ…、グルーブ部１ａ、グルーブ１のパターンにフォトレジスト８を感光させるため、光スポット３１ａの光強度Ｉ１が、ドライバー２８ａによって、同図（ｂ）に示すように制御される。
　　　【００５７】
　すなわち、フォトレジスト８をグルーブ１のパターンに感光させるとき、光強度Ｉ１をハイレベルＰ１にセットし、ピット４ａ…のパターンに感光させるとき、光強度Ｉ１をローレベルＰ４にセットし、グルーブ部１ａのパターンに感光させるとき、光強度Ｉ１をローレベルＰ２にセットする。フォトレジスト８を感光させないときは、光強度Ｉ１をゼロにする。このように、光強度Ｉ１を変えることによって、フォトレジスト８の感光部の大きさが制御される。
　　　【００５８】
　一方、光スポット３１ｂによって、同図（ａ）に示すように、グルーブ１ａに平行にピット４ｂ…のパターンにフォトレジスト８を感光させるため、光スポット３１ｂの光強度Ｉ２が、ドライバー２８ｂによって、同図（ｃ）に示すように制御される。
　　　【００５９】
　すなわち、フォトレジスト８をピット４ｂ…のパターンに感光させるとき、光強度Ｉ２をローレベルＰ３にセットする。フォトレジスト８を感光させないときは、光強度Ｉ２をゼロにする。
　　　【００６０】
　上記の記録装置によりフォトレジスト８を感光させるための他の方法を、図７に基づいて説明すれば、以下のとおりである。
　　　【００６１】
　この方法は、グルーブ１を二つの光スポット３１ａ・３１ｂを用いて形成する点で、前記の方法とは異なっている。
　　　【００６２】
　まず、光スポット３１ａ・３１ｂを、同図（ａ）に示すように、半径方向にトラックピッチの１／２に等しい距離だけ離間させて配置するために、ドライバー２９ａ・２９ｂから光偏向器２３ａ・２３ｂに印加される直流電圧と、ミラー２４ａ・２４ｂのセッティング角度が調整される。
　　　【００６３】
　それから、光スポット３１ａによって、同図（ａ）の右の方向に、グルーブ１の片側（図では、上側）、ピット４ａ…、グルーブ部１ｂ、グルーブ１の片側のパターンにフォトレジスト８を感光させるため、光スポット３１ａの光強度Ｉ１が、ドライバー２８ａによって、同図（ｂ）に示すように制御される。
　　　【００６４】
　すなわち、フォトレジスト８をグルーブ１の片側のパターンに感光させるとき、光強度Ｉ１をレベルＰ５にセットし、ピット４ａ…のパターンに感光させるとき、光強度Ｉ１をレベルＰ７にセットし、グルーブ１ｂのパターンに感光させるとき、光強度Ｉ１をレベルＰ６にセットする。フォトレジスト８を感光させないときは、光強度Ｉ１をゼロにする。このように、光強度Ｉ１を変えることによって、フォトレジスト８の感光部の大きさが制御される。
　　　【００６５】
　また、ピット４ａ…、グルーブ部１ｂのパターンにフォトレジスト８を感光させるとき、ドライバー２９ａから光偏向器２３ａに印加する電圧を、同図（ｄ）に示すように、Ｖ１だけシフトさせ、光スポット３１ａをグルーブ１の幅方向の中央に位置にセットする。
　　　【００６６】
　一方、光スポット３１ｂによって、同図（ａ）に示すように、グルーブ１の片側（図では、下側）、グルーブ部１ｂに平行にピット４ｂ…のパターンにフォトレジスト８を感光させるため、光スポット３１ｂの光強度Ｉ２が、ドライバー２８ｂによって、同図（ｃ）に示すように制御される。
　　　【００６７】
　すなわち、フォトレジスト８をグルーブ１の片側のパターンに感光させるとき、光強度Ｉ１をレベルＰ５にセットし、フォトレジスト８をピット４ｂ…のパターンに感光させるとき、光強度Ｉ２をレベルＰ９にセットする。フォトレジスト８を感光させないときは、光強度Ｉ２をゼロにする。
　　　【００６８】
　また、ピット４ｂ…のパターンにフォトレジスト８を感光させるとき、ドライバー２９ｂから光偏向器２３ｂに印加する電圧を、同図（ｅ）に示すように、Ｖ２だけシフトさせ、光スポット３１ｂをランド２の幅方向の中央に位置にセットする。
　　　【００６９】
　本方法では、グルーブ部１ｂの幅およびピット４ａ・４ｂの径がグルーブ１の幅の半分に等しい場合、Ｐ５、Ｐ６、Ｐ７、Ｐ９を同一値にセットしてもよいので、光スポット３１ａ、３１ｂの光強度Ｉ１、１２をそれぞれ二レベルにできる。これにより、前記の方法に比較して、制御が容易になる。
　　　【００７０】
　以上においては、
参考例
　　　【００７１】
　また、以上の実施例では、光磁気ディスクおよびその製造方法について説明したが、アドレス情報を記録したピット４ａ…、４ｂ…を有する光ディスクおよびその製造方法に本発明を広く応用できる。
　　　【００７２】
　本実施例に係る光磁気ディスクは、螺旋状または同心円状のグルーブ１…が一周する毎に途切れており、グルーブ１…の途切れた部分にアドレス情報を記録した第１の凹凸のピット列４ａ…を形成した光磁気ディスクにおいて、グルーブ１・１間のランド２の幅はグルーブ１の幅に等しくなるように設定されており、かつ、上記のグルーブ１の途切れた部分とは異なる半径方向に位置するランド２の部分にアドレス情報を記録した第２の凹凸のピット列４ｂ…が形成されているので、第１または第２の凹凸のピット列４ａ…、４ｂ…からアドレス情報を再生する際、クロストークが起こりにくくなる。これにより、グルーブ１上のトラックのアドレス情報およびランド２上のトラックのアドレス情報を正確に得ることができるので、これらのトラックに情報を記録して、高密度記録化を実現できる。
　　　【００７３】
　　　【００７４】
　また、本実施例に係る光磁気ディスクは、基板上に螺旋状または同心円状のグルーブ１…が形成されており、グルーブ１…が形成されている側の基板面に磁気的超解像効果により情報の記録可能な光磁気記録媒体層が形成されている光磁気ディスクであって、上記グルーブ１…は途切れた部分（ミラー部３）を有しており、この途切れた部分の、グルーブ１の延長線上にアドレス情報を記録した第１の凹凸ピット列４ａ…が形成されており、第１のピット列とは異なる半径方向に位置する、グルーブ１間のランド２の部分にアドレス情報を記録した第２の凹凸ピット列４ｂ…が形成されており、グルーブ１上の光磁気記録媒体層およびランド２上の光磁気記録媒体層に磁気的超解像効果により情報を記録し、第１および第２の凹凸ピット列４ａ…、４ｂ…からアドレス情報を再生するので、磁気的超解像効果により情報を記録する光磁気ディスクに対して、グルーブ１上のトラックのアドレス情報およびランド２上のトラックのアドレス情報を正確に得ることができる。したがって、これらのトラックに情報を記録して、高密度記録化を実現できる。
　　　【００７５】
　　【発明の効果】
　本発明に係る光ディスクは、以上のように、アドレス情報を記録する第１のピット列および第２のピット列と、上記グルーブの途切れにより上記第１の面に形成されるミラー部とを有し、上記第１のピット列は、上記ミラー部に、上記第１の面に対して凹状に形成され、上記第２のピット列は、上記第１のピット列に対して、半径方向においてトラックピッチ間隔で、かつ、トラック方向にずれた位置に、上記第１の面に対して凹状に
形成されており、第１のピット列及び第２のピット列を構成する各ピットの径は、それぞれグルーブ及びランドの幅よりも狭い構成
　　　【００７６】
　それゆえ、第１または第２のピット列からアドレス情報を再生する際、クロストークが起こりにくくなる。これにより、隣接した記録トラックのアドレス情報をそれぞれ正確に得ることができるので、隣接した記録トラックのそれぞれに情報を記録して、高密度記録化を実現できる効果を奏する。
【図面の簡単な説明】
　　【図１】
本発明の第１の実施例の光磁気ディスクの概略の構成を示す説明図である。
　　【図２】
本発明の第２の実施例の光磁気ディスクの概略の構成を示す説明図である。
　　【図３】
本発明の
参考例
　　【図４】
　図１ないし図３の光磁気ディスクで使用される基板のマスタリング・プロセスを示す説明図である。
　　【図５】
　図４のマスタリング・プロセスのフォトレジストの感光工程で使用される記録装置の概略を示すブロック図である。
　　【図６】
　図５の記録装置によりフォトレジストを感光させるための方法を示す説明図である。
　　【図７】
　図５の記録装置によりフォトレジストを感光させるための他の方法を示す説明図である。
　　【図８】
　従来の光磁気ディスクの概略の構成を示す説明図である。
　　【図９】
　従来の他の光磁気ディスクの概略の構成を示す説明図である。
　　【符号の説明】
　１　グルーブ
　１ａ　グルーブ部１ａ
　２　ランド
　３　ミラー部（グルーブの途切れた部分）
　４ａ　ピット（第１のピット列）
　４ｂ．ピット（第２のピット列）
　５　記録ドメイン
　６　光スポット
　３１ａ　光スポット
　３１ｂ　光スポット